(57)【特許請求の範囲】
【請求項１】
入力電源によって周期的に充電通電されるインダクタと、このインダクタが非通電期間に放電するインダクタ電流を発光ダイオードに発光駆動電流として通電させるスイッチング回路と、上記発光駆動電流の通電時間率を可変制御するデューティ制御回路と、上記発光駆動電流を上記通電時間率の大小にかかわらず一定に保持させる定電流制御回路とを備えた発光ダイオード調光回路において、可変入力電圧電源と発光ダイオードの間に直列に介在するインダクタと、このインダクタの電流出力側に上記発光ダイオードと並列に接続されたスイッチング素子と、このスイッチング素子に流れるオン電流を検出する電流検出回路と、上記スイッチング素子を周期的にオン／オフ動作させるとともに上記電流検出回路の検出電流が一定範囲内となるよう上記スイッチング素子のオン／オフ期間比を可変するパルス幅変調回路を備えることにより、上記スイッチング素子のオフ期間を上記可変入力電圧電源の電圧に応じて伸縮させるようにしたことを特徴とする発光ダイオード調光回路。
【請求項２】
入力電源によって周期的に充電通電されるインダクタと、このインダクタが非通電期間に放電するインダクタ電流を発光ダイオードに発光駆動電流として通電させるスイッチング回路と、上記発光駆動電流の通電時間率を可変制御するデューティ制御回路と、上記発光駆動電流を上記通電時間率の大小にかかわらず一定に保持させる定電流制御回路とを備えた発光ダイオード調光回路において、入力電源と発光ダイオードの間に直列に介在するインダクタと、このインダクタの電流出力側に上記発光ダイオードと並列に接続された第１のスイッチング素子と、この第１のスイッチング素子を所定周期でオン／オフ動作させるとともに、そのオン／オフ期間比を外部操作に応じて可変する第１のパルス幅変調回路と、上記インダクタの入力電流を検出する電流検出回路と、上記インダクタの入力電流をスイッチング制御するスイッチング素子と、上記電流検出回路の検出電流が一定となるよう第２のスイッチング素子のオン／オフ期間比をフィードバック制御する第２のパルス幅変調回路を備えたことを特徴とする発光ダイオード調光回路。
【請求項３】
入力電源によって周期的に充電通電されるインダクタと、このインダクタが非通電期間に放電するインダクタ電流を発光ダイオードに発光駆動電流として通電させるスイッチング回路と、上記発光駆動電流の通電時間率を可変制御するデューティ制御回路と、上記発光駆動電流を上記通電時間率の大小にかかわらず一定に保持させる定電流制御回路とを備えた発光ダイオード調光回路において、入力電源と発光ダイオードの間に直列に介在するインダクタと、このインダクタの電流入力側に直列に介入する第１のスイッチング素子と、この第１のスイッチング素子を所定周期でオン／オフ動作させるとともに、そのオン／オフ期間比を外部操作に応じて可変する第１のパルス幅変調回路と、上記インダクタの電流出力側に上記発光ダイオードと並列に接続された第２のスイッチング素子と、この第２のスイッチング素子に流れるオン電流を検出する電流検出回路と、上記電流検出回路の検出電流が一定となるよう第２のスイッチング素子のオン／オフ期間比をフィードバック制御する第２のパルス幅変調回路を備えたことを特徴とする発光ダイオード調光回路。
【請求項４】
照明光源として発光ダイオードを用いるとともに、この発光ダイオードの発光量を可変制御させるために請求項１〜３のいずれかの発光ダイオード調光回路を備えたことを特徴とする照明装置。
【発明の詳細な説明】
【技術分野】
【０００１】
本発明は、発光ダイオード調光回路に関し、とくにインダクタのスイッチングにより得られるインダクタ電流によって発光ダイオードを発光駆動させる方式のものに関し、たとえば照明装置に用いて有効である。
【背景技術】
【０００２】
発光ダイオードは、たとえば表示用光源やリモコン信号源などとして使用されてきたが、近年、青色や紫外線領域で高効率に発光する発光ダイオードが比較的低コストで提供されるようになり、これに伴い、発光ダイオードを従来の蛍光灯や白熱電灯に代わる照明光源として使用することが現実的になってきた。
【０００３】
発光ダイオードは電力利用効率が良いことに加えて、発光色の波長純度が高いなどの特質により、従来の光源では得難い高品位の光を得ることができる。また、発光色の組み合わせや蛍光体の併用等により非常に多様な色演出も可能である。したがって、照明光源に発光ダイオードを使えば、従来にはない照明効果を期待できる。
【０００４】
発光ダイオードは半導体素子であって、デバイス的には通常の製流用ダイオードと似ており、一定しきい値以上の順方向電圧を印加することにより駆動電流が流れて発光する。この発光駆動電流を可変制御すれば発光量を可変制御することができる。すなわち、調光を行うことができる。
【０００５】
発光ダイオードを発光駆動するためには、その発光ダイオードのしきい値電圧に応じた電圧が必要である。このため、たとえば非特許文献１に載っているような専用のＤＣ−ＤＣコンバータが使用されている。
【０００６】
図７の（ａ）は、ＤＣ−ＤＣコンバータを用いた従来の発光ダイオード調光回路の構成を示す。同図（ａ）に示す調光回路は、インダクタＬｓ、スイッチング素子Ｓ１、整流ダイオードＤ１、キャパシタＣ１、電流検出用シャント抵抗Ｒｓ、電圧検出回路２１、ＰＷＭ（パルス幅変調）回路３１などにより構成されている。
【０００７】
インダクタＬｓの一端（入力）側は入力電源電圧Ｖｉｎに接続され、他端（出力）側はＭＯＳトランジスタを用いたスイッチング素子Ｓ１が接続されている。スイッチング素子Ｓ１はＰＷＭ回路３１により所定周期（高周波）でオン／オフ動作させられる。
【０００８】
スイッチング素子Ｓ１のオン期間ではインダクタＬｓに充電電流ｉｓが通電され、そのオフ期間では、オン期間に充電された電流がインダクタ電流となって放電される。この放電動作により、インダクタＬｓの出力側にはパルス状の交流（高周波）起電力が誘起される。
【０００９】
インダクタ電流はダイオードＤ１とキャパシタＣ１で整流および平滑された後、発光ダイオードＬＥＤに発光駆動電流ｉｄとして通電される。これにより発光ダイオードＬＥＤが発光する。発光ダイオードＬＥＤの駆動電流ｉｄは、シャント抵抗Ｒｓで電圧変換されて電圧検出回路２１に電流検出信号として入力される。
【００１０】
電流検出回路２１は、シャント抵抗Ｒｓによって電圧変換された発光駆動電流ｉｄが、所定の基準電圧Ｖｘによって設定される目標電流値となるように、ＰＷＭ回路３１の動作をフィードバック制御する。これにより、発光駆動電流ｉｄが目標電流値となるようにスイッチング素子Ｓ１のオン／オフ期間比がフィードバック制御される。
【００１１】
ここで、同図（ｂ）のように、上記基準電圧Ｖｘを外部から可変操作すれば、発光駆動電流ｉｄを可変制御して発光ダイオードＬＥＤの発光量を可変制御することができる。つまり、調光を行うことができる。同図（ｂ）において、実線グラフ線は発光ダイオードＬＥＤの明るさ（発光量）、破線のグラフ線はＬＥＤ通電電流（発光駆動電流）ｉｄをそれぞれ示す。
【００１２】
発光ダイオードＬＥＤは通常の整流ダイオードと同様に順方向しきい値電圧を有するが、そのしきい値特性は線形で、ある程度の傾斜がある。したがって、上記したようなＤＣ−ＤＣコンバータの出力電圧を可変操作することで、順方向電流すなわち発光駆動電流ｉｄを可変調節でき、これによって調光を行うことができる。
【００１３】
上記のＤＣ−ＤＣコンバータでは、インダクタＬｓの通電時間率（デューティ）を可変制御することにより、発光ダイオードＬＥＤの順方向印加電圧が可変制御され、これに伴って発光駆動電流ｉｄが可変制御されて調光が行われるようになっている。
【非特許文献１】ＭＡＸＩＭ社の製品カタログ「ＭＡＸ１５５４」ＤＣ−ＤＣコンバータ
【発明の開示】
【発明が解決しようとする課題】
【００１４】
しかしながら、従来の発光ダイオード調光回路には次のような問題のあることが、本発明者らによってあきらかとされた。
【００１５】
すなわち、発光ダイオードの調光は、前述したように、発光ダイオードの駆動電流を操作して行うことができる。ところが、発光ダイオードは、その駆動電流によって発光状態とくに色調が微妙に変化するという特質があり、調光のために駆動電流を変化させると、色調が変化して所定品位の光が安定して得られなくなってしまうという問題を生じることが判明した。この問題はとくに、発光ダイオードを照明光源として用いようとした場合に問題となる。
【００１６】
前述したように、発光ダイオードは発光色の波長純度が高いなどの特質により、従来の光源では得難い高品位の光を得ることができる。これは照明光源において非常に重要なメリットである。
【００１７】
しかし、従来の調光回路では、調光に伴う色調の変化が避けられず、このことが照明光源に発光ダイオードを用いることによるメリットを大きく阻害していた。照明装置に発光ダイオードを用いても、照明の色調が調光によって変化してしまうため、発光ダイオードの特質を活かした高品位の照明を行うことができなかった。したがって、たとえば撮影照明や美術照明などの分野に発光ダイオードの照明光源を用いることは、まだ無理があった。
【００１８】
本発明は以上のような問題を鑑みてなされたものであり、その目的は、たとえば電力利用効率が良いことに加えて、発光色の波長純度が良好であるなどの、発光ダイオードの利点あるいは持ち味を活かしつつ、その発光ダイオードの発光品位を一定に保ちながらの調光を可能にした発光ダイオード調光回路および照明装置を提供することにある。
【００１９】
本発明の上記以外の目的および構成については、本明細書の記述および添付図面からあきらかになるであろう。
【課題を解決するための手段】
【００２０】
本発明は上記課題の解決手段として、次のような手段を提供する。
【００２２】
（１）入力電源によって周期的に充電通電されるインダクタと、このインダクタが非通電期間に放電するインダクタ電流を発光ダイオードに発光駆動電流として通電させるスイッチング回路と、上記発光駆動電流の通電時間率を可変制御するデューティ制御回路と、上記発光駆動電流を上記通電時間率の大小にかかわらず一定に保持させる定電流制御回路とを備えた発光ダイオード調光回路において、可変入力電圧電源と発光ダイオードの間に直列に介在するインダクタと、このインダクタの電流出力側に上記発光ダイオードと並列に接続されたスイッチング素子と、このスイッチング素子に流れるオン電流を検出する電流検出回路と、上記スイッチング素子を周期的にオン／オフ動作させるとともに上記電流検出回路の検出電流が一定範囲内となるよう上記スイッチング素子のオン／オフ期間比を可変するパルス幅変調回路を備えることにより、上記スイッチング素子のオフ期間を上記可変入力電圧電源の電圧に応じて伸縮させるようにしたことを特徴とする発光ダイオード調光回路。
【００２３】
（２）入力電源によって周期的に充電通電されるインダクタと、このインダクタが非通電期間に放電するインダクタ電流を発光ダイオードに発光駆動電流として通電させるスイッチング回路と、上記発光駆動電流の通電時間率を可変制御するデューティ制御回路と、上記発光駆動電流を上記通電時間率の大小にかかわらず一定に保持させる定電流制御回路とを備えた発光ダイオード調光回路において、入力電源と発光ダイオードの間に直列に介在するインダクタと、このインダクタの電流出力側に上記発光ダイオードと並列に接続された第１のスイッチング素子と、この第１のスイッチング素子を所定周期でオン／オフ動作させるとともに、そのオン／オフ期間比を外部操作に応じて可変する第１のパルス幅変調回路と、上記インダクタの入力電流を検出する電流検出回路と、上記インダクタの入力電流をスイッチング制御するスイッチング素子と、上記電流検出回路の検出電流が一定となるよう第２のスイッチング素子のオン／オフ期間比をフィードバック制御する第２のパルス幅変調回路を備えたことを特徴とする発光ダイオード調光回路。
【００２４】
（３）入力電源によって周期的に充電通電されるインダクタと、このインダクタが非通電期間に放電するインダクタ電流を発光ダイオードに発光駆動電流として通電させるスイッチング回路と、上記発光駆動電流の通電時間率を可変制御するデューティ制御回路と、上記発光駆動電流を上記通電時間率の大小にかかわらず一定に保持させる定電流制御回路とを備えた発光ダイオード調光回路において、入力電源と発光ダイオードの間に直列に介在するインダクタと、このインダクタの電流入力側に直列に介入する第１のスイッチング素子と、この第１のスイッチング素子を所定周期でオン／オフ動作させるとともに、そのオン／オフ期間比を外部操作に応じて可変する第１のパルス幅変調回路と、上記インダクタの電流出力側に上記発光ダイオードと並列に接続された第２のスイッチング素子と、この第２のスイッチング素子に流れるオン電流を検出する電流検出回路と、上記電流検出回路の検出電流が一定となるよう第２のスイッチング素子のオン／オフ期間比をフィードバック制御する第２のパルス幅変調回路を備えたことを特徴とする発光ダイオード調光回路。
【００２５】
（４）照明光源として発光ダイオードを用いるとともに、この発光ダイオードの発光量を可変制御させるために上記手段（１）〜（３）のいずれかの発光ダイオード調光回路を備えたことを特徴とする照明装置。
【発明の効果】
【００２６】
たとえば電力利用効率が良いことに加えて、発光色の波長純度が良好であるなどの、発光ダイオードの利点あるいは持ち味を活かしつつ、その発光ダイオードの発光品位を一定に保ちながらの調光を可能にした発光ダイオード調光回路および照明装置を提供することができる。
【００２７】
上記以外の作用／効果については、本明細書の記述および添付図面からあきらかになるであろう。
【発明を実施するための最良の形態】
【００２８】
図１は本発明による発光ダイオード調光回路の一実施形態を示す。同図に示す調光回路は、インダクタＬｓ、スイッチング素子（スイッチング回路）Ｓ１、デューティ制御回路１０、定電流制御回路２０によって構成されている。
【００２９】
インダクタＬｓの一端（入力）側は入力電源（Ｖｉｎ）に接続され、他端（出力）側はスイッチング素子Ｓ１に接続されている。スイッチング素子Ｓ１はデューティ制御回路１０により所定周期（高周波）でオン／オフ動作させられる。  
デューティ制御回路１０は、デューティ可変操作部１０１の操作に応じてスイッチング素子Ｓ１のオン／オフ期間比を可変制御する。定電流制御回路２０は発光ダイオードＬＥＤに通電される発光駆動電流ｉｄを一定に制御する。
【００３０】
図２の（ａ）（ｂ）および（ｃ）は、図１に示した発光ダイオード調光回路の動作波形チャートおよび調光特性グラフを例示する。図１および図２において、スイッチング素子Ｓ１のオン期間ではインダクタＬｓに充電電流ｉｓが通電され、そのオフ期間では、オン期間に充電された電流がインダクタ電流となって放電される。この放電動作により、インダクタＬｓの出力側にはパルス状の交流（高周波）起電力が誘起される。
【００３１】
上記インダクタ電流は、スイッチング素子Ｓ１のオフ期間ごとに発光ダイオードＬＥＤに発光駆動電流ｉｄとして通電供給される。この場合、インダクタ電流は整流および平滑されることなく、発光ダイオードＬＥＤに直接供給される。これにより、発光ダイオードＬＥＤは、スイッチング素子Ｓ１のオン／オフに同期してパルス点灯する。パルス点灯は、ある程度の以上高い周波数で行うことにより、連続点灯と同じ照明効果が得られる。
【００３２】
発光ダイオードＬＥＤの明るさ（発光量）はスイッチング素子Ｓ１のオン／オフ期間比によって可変調節される。発光ダイオードＬＥＤへの通電は、スイッチング素子Ｓ１がオフ期間に行われる。このときに発光ダイオードＬＥＤに通電される駆動電流ｉｄは、定電流制御回路２０により一定に制御される。
【００３３】
したがって、図２の（ａ）に示すように、スイッチング素子Ｓ１のオフ期間の割合、つまり通電時間率（デューティ）が大きいときは、発光ダイオードＬＥＤの平均駆動電流ｉｄが大きくなって、発光ダイオードＬＥＤの発光が明るくなる。  
一方、図２の（ｂ）に示すように、スイッチング素子Ｓ１のオフ期間の割合、つまり通電時間率（デューティ）が小さいときは、発光ダイオードＬＥＤの平均駆動電流ｉｄが小さくなって、発光ダイオードＬＥＤの発光が暗くなる。
【００３４】
以上のようにして発光ダイオードＬＥＤの駆動と調光を行うことができるのであるが、ここで注目すべきは、図２の（ｃ）に示すように、発光駆動電流ｉｄが通電時間率の大小にかかわらず、定電流制御回路２０によりほぼ一定に保持されることである。これにより、発光ダイオードＬＥＤは発光量（明るさ）の多少に関係なく、どのような調光状態においても、一定の色調すなわち発光品位を維持することができる。
【００３５】
これにより、たとえば電力利用効率が良いことに加えて、発光色の波長純度が良好であるなどの、発光ダイオードＬＥＤの持ち味を生かしつつ、その発光ダイオードＬＥＤの発光品位を一定に保ちながら調光を行うことができる。また、この発光ダイオード調光回路を発光ダイオードと共に照明装置に用いれば、たとえば撮影照明や美術照明などの分野にも好適に適用可能な高品位の照明が行えるようになる。
【００３６】
図３は、図１に示した発光ダイオード調光回路のさらに具体的な実施形態を示す。同図に示す調光回路は、インダクタＬｓ、スイッチング素子Ｓ１、電流検出用シャント抵抗Ｒｓ、電圧検出回路２１、ＰＷＭ（パルス幅変調）回路１１などを用いて構成されている。
【００３７】
同図において、インダクタＬｓの入力側は入力電源電圧Ｖｉｎに接続され、出力側はＭＯＳトランジスタを用いたスイッチング素子Ｓ１が接続されている。電流検出用シャント抵抗Ｒｓはスイッチング素子Ｓ１に直列に介在して、スイッチング素子Ｓ１の通電電流ｉｃを電圧変換する。
【００３８】
電流検出回路２１は、シャント抵抗Ｒｓによって電圧変換された通電電流ｉｃが、基準電圧Ｖｘによって設定される所定の目標値となるように、ＰＷＭ回路１１の動作をフィードバック制御する。ＰＷＭ回路１１は、スイッチング素子Ｓ１を周期的にオン／オフ動作させるとともに、上記通電電流ｉｃが一定となるよう上記スイッチング素子Ｓ１のオン／オフ期間比を可変する
発光ダイオードＬＥＤには、スイッチング素子Ｓ１がオフ期間のときにインダクタＬｓから放電されるインダクタ電流が発光駆動電流ｉｃとして通電される。この駆動電流ｉｃは直接には定電流制御されていないが、インダクタＬｓの誘導効果により、その直前までインダクタＬｓに流れていた電流すなわちスイッチング素子Ｓ１の通電電流ｉｃとほぼ同じ電流となる。したがって、その通電電流ｉｃが一定となるようにスイッチング素子Ｓ１のオン／オフ期間比を制御すれば、発光駆動電流ｉｃもほぼ一定に制御することができる。
【００３９】
この実施形態では、ＰＷＭ回路１１と電流検出回路２１などが、図１のデューティ制御回路１０と定電流制御回路２０の機能を形成する。また、スイッチング素子Ｓ１のオン／オフ期間比は、図４に示すように、入力電源電圧Ｖｉｎに応じて可変制御される。
【００４０】
図４の（ａ）（ｂ）および（ｃ）は、図３に示した発光ダイオード調光回路の動作波形チャートおよび調光特性グラフを例示する。同図（ａ）に示すように、入力電源電圧Ｖｉｎが高いと、通電電流ｉｃを一定に保持するためのオン期間が短くなる一方、オフ期間が長くなる。この場合、発光駆動電流ｉｃの通電時間率（デューティ）が大きくなって発光ダイオードＬＥＤは明るくなる。
【００４１】
一方、同図（ａ）に示すように、入力電源電圧Ｖｉｎが低いと、通電電流ｉｃを一定に保持するためのオン期間が長くなる一方、オフ期間が短くなる。この場合、発光駆動電流ｉｃの通電時間率（デューティ）が小さくなって発光ダイオードＬＥＤは暗くなる。
【００４２】
これにより、同図（ｃ）に示すように、発光ダイオードＬＥＤは、白熱電灯と同じように、外部からの供給電圧Ｖｉｎを操作することによって自在に調光することができる。したがって、この実施形態は、白熱電球と互換の発光ダイオード光源、いわゆる電球型の発光ダイオード光源を構成するのに非常に好都合である。
【００４３】
図５は、本発明の別の実施形態を示す。同図に示す発光ダイオード調光回路は、インダクタＬｓ、第１のスイッチング素子Ｓ１、第２のスイッチング素子Ｓ２、電流検出用シャント抵抗Ｒｓ、電圧検出回路２１、第１のＰＷＭ回路１２、第２のＰＷＭ回路１３、転流スイッチ用ダイオードＤ２、デューティ可変操作部１０１などを用いて構成されている。
【００４４】
同図において、インダクタＬｓの入力側は、第２のスイッチング素子Ｓ２とシャント抵抗Ｒｓをそれぞれ直列に介して力電源（Ｖｉｎ）に接続されている。その出力側は、ＭＯＳトランジスタを用いたスイッチング素子Ｓ１が接続されている。スイッチング素子Ｓ１は発光ダイオードＬＥＤに対して並列に接続されている。
【００４５】
第１のＰＷＭ回路１２は、第１のスイッチング素子Ｓ１を所定周期でオン／オフ動作させるとともに、デューティ可変操作部１０１の操作に応じてそのオン／オフ期間比を可変制御する。第１のＰＷＭ回路１２と第１のスイッチング素子Ｓ１の動作により、発光ダイオードＬＥＤがパルス点灯駆動されるとともにその駆動時間率（デューティ）が可変操作されるようになっている。
【００４６】
第２のＰＷＭ回路１３は、電流検出用シャント抵抗Ｒｓと電圧検出回路２１により検出されるインダクタＬｓの充電電流が一定となるように第２のスイッチング素子Ｓ２のオン／オフ期間比をフィードバック制御する。これにより、発光ダイオードＬＥＤの駆動電流ｉｄは、通電時間率（デューティ）の大小にかかわらずほぼ一定に保持される。したがって、発光ダイオードＬＥＤは発光量（明るさ）の多少に関係なく、どのような調光状態においても、一定の色調すなわち発光品位を維持することができる。
【００４７】
また、図５に示した調光回路では、第２のスイッチング素子Ｓ２を設けてスイッチング方式の定電流制御を行わせているが、この第２のスイッチング素子Ｓ２を使えば、デューティが小さくなったときに、第１のスイッチング素子Ｓ１のオン／オフ動作を停止させるという省電力状態の設定も可能である。
【００４８】
図６は、本発明のさらに別の実施形態を示す。同図に示す発光ダイオード調光回路は、図５の回路と同様、インダクタＬｓ、第１のスイッチング素子Ｓ１、第２のスイッチング素子Ｓ２、電流検出用シャント抵抗Ｒｓ、電圧検出回路２１、第１のＰＷＭ回路１２、第２のＰＷＭ回路１３、転流スイッチ用ダイオードＤ２、デューティ可変操作部１０１などを用いて構成されている。
【００４９】
この実施形態では、インダクタＬｓの入力側と入力電源（Ｖｉｎ）の間に第１のスイッチング素子Ｓ１が直列に介在し、このスイッチング素子Ｓ１が第１のＰＷＭ回路１２によってオン／オフ動作させられることにより、発光ダイオードＬＥＤの通電時間率（デューティ）が可変操作されるようになっている。つまり、第１のＰＷＭ回路１２は図１のデューティ制御回路１０を形成する。
【００５０】
インダクタＬｓの出力側は発光ダイオードＬＥＤが接続されるとともに、この発光ダイオードＬＥＤに対して並列に第２のスイッチング素子Ｓ２が接続されている。この第２のスイッチング素子Ｓ２は、シャント抵抗Ｒｓ、電流検出回路２１、および第２のＰＷＭ回路１３とともに、インダクタＬｓの充電電流ｉｃを一定に制御する定電流制御回路２０を形成する。充電電流ｉｃの制御により、発光駆動電流ｉｄもインダクタＬｓの誘導効果によりほぼ同電流（ｉｃ＝ｉｄ＝一定）に制御される。
【００５１】
上記構成により、発光ダイオードＬＥＤの駆動電流ｉｄを、通電時間率（デューティ）の大小にかかわらずほぼ一定に保持させることができるとともに、発光ダイオードＬＥＤは発光量（明るさ）の多少に関係なく、どのような調光状態においても、一定の色調すなわち発光品位を維持することができる。
【００５２】
この実施形態では、スイッチング素子Ｓ１と第１のＰＷＭ回路１２が一種のバック（ＢＵＣＫ）コンバータとしての機能を兼ね備えることができる。したがって、たとえば一般家庭に配電されている商用電源（ＡＣ１００Ｖ）の電圧で使用するような場合にとくに有利である。
【００５３】
以上、本発明をその代表的な実施例に基づいて説明したが、本発明は上述した以外にも種々の態様が可能である。たとえば、スイッチング素子Ｓ１，Ｓ２はＭＯＳトランジスタ以外の半導体素子であってもよい。また、スイッチング素子Ｓ１，Ｓ２のオン／オフ周波数は固定または浮動のいずれであってもよい。
【産業上の利用可能性】
【００５４】
たとえば電力利用効率が良いことに加えて、発光色の波長純度が良好であるなどの、発光ダイオードの利点あるいは持ち味を活かしつつ、その発光ダイオードの発光品位を一定に保ちながらの調光を可能にした発光ダイオード調光回路および照明装置を提供することができる。
【図面の簡単な説明】
【００５５】
【図１】本発明による発光ダイオード調光回路の一実施形態を示す回路図である。
【図２】図１に示した発光ダイオード調光回路の動作波形チャートおよび調光特性グラフである。
【図３】図１に示した発光ダイオード調光回路のさらに具体的な実施形態を示す回路図である。
【図４】図３に示した発光ダイオード調光回路の動作波形チャートおよび調光特性グラフである。
【図５】本発明の別の実施形態を示す回路図である。
【図６】本発明のさらに別の実施形態を示す回路図である。
【図７】ＤＣ−ＤＣコンバータを用いた従来の発光ダイオード調光回路の構成を示す。
【符号の説明】
【００５６】
Ｌｓ  インダクタ
ＬＥＤ  発光ダイオード
Ｒｓ  電流検出用シャント抵抗
Ｓ１，Ｓ２  スイッチング素子（スイッチング回路）
Ｖｉｎ  入力電源電圧
ｉｄ  発光駆動電流
ｉｃ  充電電流
１０  デューティ制御回路
１１，１２，１３  ＰＷＭ（パルス幅変調）回路
１０１  デューティ可変操作部
２０  定電流制御回路
２１  電圧検出回路
【図１】
0004839023.tif 000002
【図２】
0004839023.tif 000003
【図３】
0004839023.tif 000004
【図４】
0004839023.tif 000005
【図５】
0004839023.tif 000006
【図６】
0004839023.tif 000007
【図７】
0004839023.tif 000008